(57)【特許請求の範囲】
【請求項１】
分岐回路とハイパスフィルタとを直列に接続した高周波通過回路と、その高周波通過回路に電源を供給可能としたパワーインジェクタとを一体にパッケージし、パワーインジェクタに、前記高周波通過回路におけるハイパスフィルタのヘッドエンド側と端末側とに対して選択的に接続可能とする電源供給先選択手段を設けたパワーインジェクタ付きタップであって、
前記電源供給先選択手段が、前記ハイパスフィルタのヘッドエンド側と端末側とにそれぞれ接続された電源出力回路に対し、いずれの電源出力回路とも接続しないか、いずれか一方の電源出力回路と接続可能とした切り換えスイッチと、両電源出力回路同士を接続した開閉スイッチとで構成されることを特徴とするパワーインジェクタ付きタップ。
【請求項２】
分岐端子の分岐出力端子とパワーインジェクタの電源供給端子とが互いに独立して設けられている請求項１に記載のパワーインジェクタ付きタップ。
【発明の詳細な説明】
【０００１】
【発明の属する技術分野】
本発明は、ＣＡＴＶの幹線から分岐して受信機に信号を送り出すために使用されるタップに関する。
【０００２】
【従来の技術】
分岐回路を内蔵したタップは、アンプやパワーインジェクタなどと共にＣＡＴＶの幹線途中に取り付けられる電子機器であり、それらアンプ、タップ、或いはパワーインジェクタ等、いずれも単一の専用機能を有した機種同士を組み合わせて複数の機能が発揮されるよう設置している。
例えば、パワーインジェクタをタップの直前に配置されるように組み合わせて接続した場合は、電源をヘッドエンド側（以下，上手側という）には供給するが端末側（以下，下手側という）には送らないようにするとか、逆に下手側のみに電源を供給するといったように、設置条件により要求は異なる。
従ってパワーインジェクタ４をタップ（分岐回路）３の直前に配置する図３に示した組み合わせでは、上手側と下手側との間にハイパスフィルタ（コンデンサ）２を介在させ、電源供給を不要とする側への電流の通過を阻止する構造のものが採用されている。
そして、電源の供給が挿入接続部の上手側であれば、図３の（ａ）に示す如く、電源出力回路６がハイパスフィルタ２の上手側に接続されるタイプを利用し、電源の供給が挿入接続部の下手側であれば、図３の（ｂ）に示す如く、電源出力回路６がハイパスフィルタ２の下手側に接続されるタイプを利用するといったように、電源の供給がハイパスフィルタの上手側か下手側かによって、パワーインジェクタの回路構成が互いに逆になるものを選択使用している。
又、上手側と下手側との両方に電力供給が要求される場合は、図３の（ｃ）に示すように、電源供給回路６，６が上手側と下手側との両方に接続されたタイプを利用するか、図示はしないがハイパスフィルタを省略したタイプを使用するなど、目的に適応した機種を調達しており、選択を間違えたり在庫切れであった場合、作業の中断を余儀なくされるし、他の機器と別体であるため、取付作業が煩雑化していた。
【０００３】
【発明が解決しようとする課題】
前記電子機器は、いずれも単独機能を有した製品のため、他の電子機器との組み合わせを考慮するなど、作業の向上が望まれている。
特に、パワーインジェクタは、電源供給先に応じて適合機種を選択して取り付けなくてはならないので、常時、複数種類のストックが必要であるばかりか、電源供給先が変更されたときは、付け直しをしなくてはならない。
【０００４】
【課題を解決するための手段】
本発明は、作業性の向上を図ると同時に、無駄なストックをなくし、変更可能としたタップであって、その構成は、分岐回路とハイパスフィルタとを直列に接続した高周波通過回路と、その高周波通過回路に電源を供給可能としたパワーインジェクタとを一体にパッケージし、パワーインジェクタに、前記高周波通過回路におけるハイパスフィルタの上手側と下手側とに対して選択的に接続可能とする電源供給先選択手段を設けたパワーインジェクタ付きタップであって、前記電源供給先選択手段が、前記ハイパスフィルタのヘッドエンド側と端末側とにそれぞれ接続された電源出力回路に対し、いずれの電源出力回路とも接続しないか、いずれか一方の電源出力回路と接続可能とした切り換えスイッチと、両電源出力回路同士を接続した開閉スイッチとで構成されることにある。
そして前記分岐端子の分岐出力端子とパワーインジェクタの電源供給端子とは、互いに独立して設けることが望ましい。
【０００５】
【発明の実施の形態】
本発明に係るパワーインジェクタ付きタップを図面に基づいて説明する。
図１において、１は、コンデンサ２ａを介在させて成るハイパスフィルタ２，２と、高周波信号を端子Ａに分岐する分岐回路３とが、その分岐回路３の前後にハイパスフィルタ２，２が配置されるよう直列に接続してなる高周波通過回路であり、ＩＮ端子Ｐが幹線の上手側に接続され、ＯＵＴ端子Ｑは幹線の下手側に接続される。
４は、前記高周波通過回路１に電源を供給するパワーインジェクタであり、このパワーインジェクタ４は、電源供給端子Ｂから供給された電源を出力すべく、コイル５ａ，５ａを介在させて成るローパスフィルタ５，５を備えた電源出力回路６，６を有していて、それら電源出力回路６，６が、前記高周波通過回路１におけるハイパスフィルタ２，２のそれぞれ分岐回路３の接続側と反対側にあたるハイパスフィルタ２，２の上手側と下手側に接続されている。
【０００６】
そして前記パワーインジェクタ４には、前記ハイパスフィルタ２，２の上手側と下手側とにそれぞれ接続された電源出力回路６，６に対し、両電源出力回路６，６同士を接続可能とした開閉スイッチ７と、いずれの電源出力回路６，６とも接続しないか、いずれか一方の電源出力回路６と接続可能とした切り換えスイッチ８とで構成された電源供給先選択手段が設けられている。
この電源供給先選択手段は、前記高周波通過回路１とパワーインジェクタ４と一体に組み付けられ、一つの筐体にパッケージされていて、前記分岐端子Ａには端末機器が接続される。
【０００７】
このように構成されたパワーインジェクタ付きタップは、開閉スイッチ７を操作して電源を幹線の上手側（ＩＮ端子側）か下手側（ＯＵＴ端子側）のいずれか一方に供給するか、上手側と下手側との両方に供給するかを選択し、いずれか一方のみに供給する場合は、前記開閉スイッチ７を開放した状態を維持したまま、切り換えスイッチ８でいずれかを選択し、又いずれにも供給しない場合は、切り換えスイッチ８を中立位置にしておくといったように、あらゆる要求に対応できる。
即ち、上手側のみに電源を供給したければ、開閉スイッチ７を開放し、切り換えスイッチ８で、上手側に接続された電源出力回路を選択する（図２のａ）。
又、下手側のみに電源を供給したければ、開閉スイッチ７を開放し、切り換えスイッチ８で、下手側に接続された電源出力回路を選択すればよい（図２のｂ）。
更に、切り換えスイッチ８を上手側か下手側のいずれかに接続した状態のまま開閉スイッチ７を閉じれば（図２のｃ）上手側と下手側との両方に電源が供給される。
又、開閉スイッチ７を閉じた状態のまま、切り換えスイッチ８を中立位置の状態に維持しておくことにより、通常のタップオフとしても利用できる。
即ち、上手側（下手側）から供給された電源は開閉スイッチ７を通り、下手側（上手側）のみに供給され、電源供給端子Ｂには出力されない。
このように電源供給先選択手段により電源の供給先を自由に選択できるので、タップを取り付けるだけで汎用性の高いパワーインジェクタ機能が確保される。
尚、前記電源供給端子Ｂは、電源供給専用としてばかりでなく、低い周波数帯の例えば５ＭＨｚ以下のデータ送・受信用として共用することもできる。
【０００８】
前記実施例は、分岐端子の分岐出力端子とパワーインジェクタの電源供給端子とがそれぞれ独立して設けられているので、保守、点検、或いは端子数の増設（例えば端子Ａに分配器を接続して分岐端子数を増やす場合）などの際、分岐端子と端末機との接続が一旦，外されることがあっても、幹線系の電力は電源供給端子Ｂから給電されているので、幹線系の電源供給は瞬断しない。
尚、実施例の分岐端子が１つであるが、分岐数は適宜変更可能である。
【０００９】
【発明の効果】
本発明によれば、タップにパワーインジェクタ機能が付加されているので、パワーインジェクタを別個に取り付ける必要がなくなる。
而も、分岐端子の分岐出力端子とパワーインジェクタの電源供給端子とがそれぞれ独立して設けられているので、分岐端子の接続が一旦，外されることがあっても電源供給は瞬断しない。
又、パワーインジェクタには電源供給先選択手段が設けられているので、電源の供給先を自由に選択できる。更に、スイッチで構成すれば、切り換えることで変更自在である。
【図面の簡単な説明】
【図１】  本発明に係るパワーインジェクタ付きタップの説明図である。
【図２】  スイッチの切り換えにより電源供給先の選択をする場合の説明図である。
【図３】  従来例の説明図である。
【符号の説明】
１・・高周波通過回路、２・・ハイパスフィルタ、２ａ・・コンデンサ、３・・分岐回路、４・・パワーインジェクタ、５・・ローパスフィルタ、５ａ・５ａ・・コイル、６・・電源出力回路、７・・開閉スイッチ、８・・切り換えスイッチ、Ａ・・分岐端子、Ｂ・・電源供給端子、Ｐ・・ＩＮ端子、Ｑ・・ＯＵＴ端子。
【図１】
0004405624.tif 000002
【図２】
0004405624.tif 000003
【図３】
0004405624.tif 000004